(57)【要約】【課題】歩行時にばたつきを生じず、一旦使用後にも異なる２つの方向から履くことができる履物を提供する。【解決手段】履物１は、足裏の接触する板状の底部材２と、足甲に接触する甲被材３とを備える。底部材２は、所定の２回回転軸Ｚに対し回転対称性を有する。また、甲被材３は、２回回転軸Ｚに対し回転対称性を有し、底部材３の中央を跨ぐ。甲被材３は、使用時に、足甲の形状に沿って変形するとともに、変形時に底部材２を足裏に密着固定させる固定手段７を有し、使用後に復元力により元の形状に戻る。  これにより、使用時には、底部材２と足裏は密着状体となっている。また、使用後には、使用前と同様に底部材２と、甲被材３は、所定の２回回転軸Ｚに対し回転対称性を有する状態となっている。【選択図】図１
0003185739.tif 000002
【実用新案登録請求の範囲】
【請求項１】
所定の２回回転軸（Ｚ）に対し回転対称性を有し、足裏の接触する板状の底部材（２）と、
前記２回回転軸（Ｚ）に対し回転対称性を有し、前記底部材（２）の中央を跨ぎ、足甲に接触する甲被材（３）とを備える履物（１）であって、
前記甲被材（３）は、使用時に足甲の形状に沿って変形するとともに、変形時に前記底部材（２）を足裏に密着固定させる固定手段（７）を有し、使用後に復元力により元の形状に戻ることを特徴とする履物（１）。
【請求項２】
請求項１に記載の履物（１）であって、
前記甲被材（３）を締緩することで、前記固定手段（７）により前記底部材（２）を足裏に密着固定する固定力が増減可能となっていることを特徴とする履物(１)。
【請求項３】
請求項１または請求項２に記載した何れか１つの履物（１）において、
前記甲被材（３）と足甲との接触部位を増やしたことを特徴とする履物(１)。
【請求項４】
請求項１から３に記載した何れか１つの履物（１）において
前記甲被材（３）の形状は、中央部が足を挿入する方向に張り出した形状であることを特徴とする履物（１）。
【請求項５】
請求項１から４に記載した何れか１つの履物（１）において、
前記底部材（２）と前記甲被材（３）との間の隙間（Ｄ）は、つま先の高さより大きく足甲最高部より小さく設けられていることを特徴とする履物（１）。
【考案の詳細な説明】
【技術分野】
【０００１】
本発明は、履物、特に、異なる２つの方向から履くことが可能な履物に関する。
【背景技術】
【０００２】
従来より、履物の向きを変更することなく、異なる２つの方向から履くことのできる履物が知られている（例えば、引用文献１参照。）。この履物では、甲被材が底部材に対して踵側及びつま先側方向に回動自在に支持されているが、使用後には、履物を脱いだ時の形態のままとなり、甲被材が一方側に偏ってしまう。このため、一旦使用後には、実質的に１つの方向のみからしか履くことができなくなってしまう問題があった。
また、別の構成の異なる２つの方向から履くことのできる履物も知られている（例えば、引用文献２参照。）。しかし、この履物では、実質２足分の大きさがあり、踵部分にも甲被材が存し重量も重いため、歩行時に底部材と足裏が離れることにより、ばたつきが生じてしまう問題があった。
【先行技術文献】
【非特許文献】
【０００３】
【非特許文献１】株式会社グラスホッパー、「両方から履けるスリッパ製品情報」、[online]、[平成２５年６月５日検索]、インターネット〈URL: http://product.rakuten.co.jp/product/-/dfb19d3e5c8584d1059d00137d1fbc24/?sc2id=gmc_100690_dfb19d3e5c8584d1059d00137d1fbc24&scid=s_kwa_pla〉
【非特許文献２】株式会社ビーウェル、「両方向サンダルドッチーモ」、[online]、[平成２５年６月１２日検索]、インターネット〈URL: http://www.bwell.co.jp/goods/goods05.html〉
【考案の概要】
【考案が解決しようとする課題】
【０００４】
本発明は、上記の問題点を解決するためになされたものであり、その目的は、歩行時にばたつきを生じず、一旦使用後にも異なる２つの方向から履くことができる履物を提供することにある。
【課題を解決するための手段】
【０００５】
本願の第１考案によれば、履物は、足裏の接触する板状の底部材と、足甲に接触する甲被材とを備える。ここで、底部材は、所定の２回回転軸に対し回転対称性を有する。また、甲被材は、２回回転軸に対し回転対称性を有し、底部材の中央を跨ぐ。さらに、甲被材は、使用時に、足甲の形状に沿って変形するとともに、変形時に底部材を足裏に密着固定させる固定手段を有し、使用後に復元力により元の形状に戻る。
【０００６】
これにより、使用時には、底部材と足裏は密着状体となっている。また、使用後には、使用前と同様に底部材と、甲被材は、所定の２回回転軸に対し回転対称性を有する状態となっている。
このため、歩行時にばたつきが生じず、一旦使用後にも異なる２つの方向から履くことのできる履物を提供することができる。
【０００７】
本願の第２考案によれば、履物は、甲被材を締緩することで、固定手段により底部材を足裏に密着固定する固定力が増減可能となっている。
これにより、各人の足甲の高さ等に応じて、甲被材を締緩して調節することにより底部材と足裏との密着状体を調整することができる。
このため、各人の足甲高さ等に応じて、底部材と足裏との最適な密着状体を維持できる履物を提供することができる。
【０００８】
本願の第３考案によれば、甲被材は足甲との接触部位が増加している。
これにより、甲被材の足甲等への接触部分における押圧力が分散するため、足甲等の痛みを軽減することができる。
【図面の簡単な説明】
【０００９】
【図１】使用前および使用後の履物の全体図である（第１実施例）。
【図２】使用時の履物の全体図である（第１実施例）。
【図３】履物の側面図である（第１実施例）。
【図４】使用前および使用後の履物の全体図である（第２実施例）。
【図５】使用前および使用後の履物の全体図である（第３実施例）。
【図６】使用前および使用後の履物の全体図である（変形例）。
【考案を実施するための形態】
【００１０】
以下、考案を実施するための形態を実施例に基づいて説明する。
【００１１】
〔実施例１の構成〕
実施例１の履物１の構成を、図面を用いて説明する。
履物１は、歩行時等に左右両足に装着するものである。
使用前の履物１は、図１に示すように、足裏の接触する板状の底部材２と、足甲に接触する甲被材３とを備える。
底部材２は、所定の２回回転軸Ｚに対し回転対称性を有する楕円形状の発泡ゴム部材等からなる。
甲被材３は、底部材２の短径方向に距離を隔てて底部材２に固定された一対の支持部材４により底部材２との間に隙間を有するように支持されており、底部材２の中央を跨いでいる。
【００１２】
甲被材３は、形状回復可能な一対の形状回復部材５と、２つの形状回復部材５を接続する接続部材６とを有する。
２つの形状回復部材５は、弾性変形可能なゴム製の紐状体であり、２回回転軸Ｚに対し回転対称性を有するようにそれぞれ支持部材４により支持されている。
そして、２つの形状回復部材５は、それぞれの長さ方向の中心に板状の接続部材６の端部が接続され外側に伸長され、収縮力が発生している。
ここで、接続部材６は、変形不可能な板状体であり、２回回転軸Ｚに対し回転対称性を有するように２つの形状回復部材５に固定されている。
【００１３】
よって、甲被材３は、２回回転軸Ｚに対して回転対称性を有するように支持部材４により支持されていることになり、中央部が足を挿入する方向に張り出した形状となっていることとなる。
なお、甲被材３と底板２との隙間Ｄは、つま先の高さより大きく足甲最高部より小さく設けられている。
【００１４】
そして、使用時には、図２および図３に示すように、甲被材３は、足甲の形状に沿って変形するとともに、底部材２を足裏に密着固定させる固定手段７を有する。
使用時における踵側の形状回復部材５は、接続部材６の上昇に伴い、足甲の形状に沿って短径方向に伸長する。そして、中央部が張り出した接続部材６の踵側端６ａは足甲に押し出される形で、足甲形状に沿って上方へ移動するとともにつま先側に移動する。そして、接続部材６のつま先側端６ｂは、踵側端６ａの移動に伴って斜め下方に移動し足指の付け根を押圧する。
【００１５】
よって、変形した甲被材３の具備する固定手段７は、伸長した踵側の形状回復部材５が収縮することにより足甲を押圧することによるものと、接続部材６のつま先側端６ｂが、斜め下方に移動し足指の付け根を押圧することによるものとから構成される。
【００１６】
そして、履物１は、使用後に、形状回復部材５の有する復元力により、元の形状である図１に示す状態に戻る。
【００１７】
〔実施例１の効果〕
履物１は、足裏の接触する板状の底部材２と、足甲に接触する甲被材３とを備える。ここで、底部材２は、所定の２回回転軸Ｚに対し回転対称性を有する。また、甲被材３は、２回回転軸Ｚに対し回転対称性を有し、底部材２の中央を跨ぐ。さらに、甲被材３は、使用時に、足甲の形状に沿って変形するとともに、変形時に底部材２を足裏に密着固定させる固定手段７を有し、使用後に復元力により元の形状に戻る。
【００１８】
これにより、使用時には、底部材２と足裏は密着状体となっている。また、使用後には、使用前と同様に底部材２と、甲被材３は、所定の２回回転軸Ｚに対し回転対称性を有する状態となっている。
このため、歩行時にばたつきが生じず、一旦使用後にも異なる２つの方向から履くことのできる履物１を提供することができる。
【００１９】
なお、甲被材３の形状は、中央部が足を挿入する方向に張り出した形状であるため、足を隙間Ｄに挿入した際に、確実に甲被材３が足甲に接触する。
また、隙間Ｄがつま先の高さより大きく設けられているため、足をスムースに挿入でき、隙間Ｄが足甲最高部より小さく設けられているため、甲被材３と足甲の接触がより確実となる。
【００２０】
〔実施例２の構成〕
実施例２の履物１の構成を、図４を用いて説明する。
なお、以下の実施例では、実施例１と同一機能物は同一の符号を付して示している。
履物１において、形状回復部材５は、それぞれ、接続部材６のつま先側端部および踵側端部に設けられた挿通穴６ｃを挿通し、ストッパ８により接続部材６に固定されている。
【００２１】
ストッパ８は、中央部が折りたたまれた形状回復部材５が挿通する円環状の部材であり、所定の値以上の外力の作用により形状回復部材５に摺接したままその位置を移動することが可能となっている。
しかし、履物１を履いたり脱いだりする程度ではその位置がずれない程度に形状回復部材５と係合している。
そして、ストッパ８の形状回復部材５における相対位置を移動させることにより、形状回復部材５の収縮力を調整することができ、甲被材３を締緩することができる。
【００２２】
〔実施例２の効果〕
履物１は、甲被材３を締緩することで、固定手段７により底部材２を足裏に密着固定する固定力が増減可能となっている。より具体的には、甲被材３を緩めた場合、すなわちストッパ８から露出する形状回復部材５を減少させた場合、固定力は減少し、甲被材３を締めた場合、すなわちストッパ８から露出する形状回復部材５を増加させた場合、固定力は増加する。
【００２３】
これにより、各人の足甲の高さ等に応じて、ストッパ８から露出する形状回復部材５を増減させることで、底部材２と足裏との密着状体を調整することができる。
具体的には、各人の足甲高さに応じて密着状態を調整可能なだけではなく、一人の人物の夏場における素足での密着状態および冬場における厚手の靴下を履いた場合等における密着状態にも対応可能である。
このため、底部材２と足裏との最適な密着状体を維持できる履物１を提供することができる。
【００２４】
〔実施例３の構成〕
実施例３の履物１の構成を、図５を用いて説明する。
履物１において、形状回復部材５は、それぞれ、接続部材６のつま先側端部および踵側端部に設けられた挿通穴６ｃを挿通し、ストッパ８により接続部材６に固定されている。
【００２５】
ストッパ８は、中央部が折りたたまれた形状回復部材５が挿通する環状の部材であり、所定の値以上の外力の作用により形状回復部材５に摺接したままその位置を移動することが可能となっている。
しかし、履物１を履いたり脱いだりする程度ではその位置がずれない程度に形状回復部材５と係合している。
そして、ストッパ８の形状回復部材５における相対位置を移動させることにより、形状回復部材５の収縮力を調整することができ、甲被材３を締緩することができる。
ここで、形状回復部材５は、長径方向に幅広のゴム板状体であり、接続部材６は、短径方向に対称に３つ配置されている。
【００２６】
〔実施例３の効果〕
甲被材３は足甲との接触部位が増加している。
これにより、甲被材３の足甲等への接触部分における押圧力が分散するため、足甲等の痛みを軽減することができる。
【００２７】
［変形例］
本考案は、その要旨を逸脱しない範囲で様々な変形例を考えることができる。
例えば、実施例１〜３によれば底部材２は、単なる板状であったが、底部材２の形状はこのような態様に限定されない。例えば、図６に示すように、底部材２の周縁が壁２ａによって取り囲まれるような構成としてもよい。
【符号の説明】
【００２８】
１  履物  
２  底部材  
３  甲被材  
７  固定手段  
Ｚ  ２回回転軸
【図１】
0003185739.tif 000003
【図２】
0003185739.tif 000004
【図３】
0003185739.tif 000005
【図４】
0003185739.tif 000006
【図５】
0003185739.tif 000007
【図６】
0003185739.tif 000008